(57)【要約】【課題】小さい鳥類等の小動物の軒樋より建物側の空隙から軒樋への侵入を抑制して、小動物の侵入に伴う軒樋の機能低下を抑制した軒樋用部材を提供する。【解決手段】本発明は、軒樋２０の建物１７側の壁部（後壁部２１）の上端に取り付けられる取付部２と、取付部２から下向き傾斜で突出する侵入防止片７とを備え、侵入防止片７は、取付部２を軒樋２０に取り付けた姿勢において突出先端側が建物１７に近接又は当接されるものである。これによって、本発明は、軒樋２０より建物１７側の空隙１５から軒樋２０への小動物の侵入を抑制することができて、小動物の侵入に伴う軒樋２０の機能低下を抑制することができる。【選択図】図１
2014031680.tif 000002
【特許請求の範囲】
【請求項１】
軒樋の建物側の壁部の上端に取り付けられる取付部と、この取付部から下向き傾斜で突出する侵入防止片とを備え、
前記侵入防止片は、前記取付部を前記軒樋に取り付けた姿勢において突出先端側が前記建物に近接又は当接されるものである
ことを特徴とする軒樋用部材。
【請求項２】
前記取付部と前記侵入防止片とを一体で形成したものである
ことを特徴とする請求項１に記載の軒樋用部材。
【請求項３】
前記侵入防止片が、前記軒樋の長手方向に沿って長尺に形成したものである
ことを特徴とする請求項１又は２に記載の軒樋用部材。
【請求項４】
前記侵入防止片が、前記取付部に対する傾斜角度を変更自在のものである
ことを特徴とする請求項１乃至３のいずれか一項に記載の軒樋用部材。
【請求項５】
前記侵入防止片が、弾性部材又は軟質部材で形成したものである
ことを特徴とする請求項４に記載の軒樋用部材。
【発明の詳細な説明】
【技術分野】
【０００１】
本発明は、軒樋に取り付けて利用される軒樋用部材に関するものである。
【背景技術】
【０００２】
従来から、屋根からの雨水を受ける軒樋は、例えば、特許文献１等のように前後方向にスライド可能な吊金具によって、建物の壁面上部に取り付けられる。そして、軒樋は、この吊金具のスライド位置を変更することで、壁面からの位置を調節することができる。これによって、軒樋は、屋根からの雨水を流入し易くしている。
【先行技術文献】
【特許文献】
【０００３】
【特許文献１】特開２０１２−５２３２７号公報
【発明の概要】
【発明が解決しようとする課題】
【０００４】
ところで、軒樋は、吊金具（支持具）によって壁面からの位置を調節して取り付けた際に、壁面との間に数ｍｍ〜約６０ｍｍ程度の空隙が形成される。また、例えば雀等の小さい鳥類等の小動物は、一般的に直径３０ｍｍ程度の隙間があれば、その隙間を通過することができる。そのため、前記空隙が約３０ｍｍ以上の場合、小動物が空隙を介して軒樋内に侵入する恐れがある。そして、軒樋は、小動物が侵入可能な場合、小動物によって巣等の通水阻害物等が軒樋内に形成されることがある。この場合、軒樋は、この通水阻害物によって通水が妨げられる等で、軒樋の機能が低下することがある。
【０００５】
そこで、本発明は、前記従来の問題点に鑑みて発明したものであり、その目的とするところは、壁面（建物）側の空隙からの小動物の侵入を抑制して、この侵入に伴う軒樋の機能低下を抑制した軒樋用部材を提供することにある。
【課題を解決するための手段】
【０００６】
前記課題を解決するために、本発明は、軒樋の建物側の壁部の上端に取り付けられる取付部と、この取付部から下向き傾斜で突出する侵入防止片とを備え、前記侵入防止片は、前記取付部を前記軒樋に取り付けた姿勢において突出先端側が前記建物に近接又は当接されるものである。ことを特徴とする。
【０００７】
この軒樋用部材として、前記取付部と前記侵入防止片とを一体で形成したものであることが好ましい。
【０００８】
この軒樋用部材として、前記侵入防止片が、前記軒樋の長手方向に沿って長尺に形成したものであることが好ましい。
【０００９】
この軒樋用部材として、前記侵入防止片が、前記取付部に対する傾斜角度を変更自在のものであることが好ましい。
【００１０】
この軒樋用部材として、前記侵入防止片が、弾性部材又は軟質部材で形成したものであることが好ましい。
【発明の効果】
【００１１】
本発明は、前記構成を備えたことで、小さい鳥類等の小動物の建物側の空隙から軒樋内への侵入を抑制することができる。そのため、本発明は、小動物による軒樋内での巣等の通水阻害物の軒樋内への発生を抑制することができる。これによって、本発明は、通水阻害物等の発生等の小動物の侵入に伴う軒樋の機能低下を抑制することができる。
【図面の簡単な説明】
【００１２】
【図１】本発明の実施形態の一例（第１例）の軒樋用部材の斜視図である。
【図２】軒樋用部材を軒樋に取り付けた状態の一部を省略した図であり、（ａ）が斜視図であり、（ｂ）が側断面図である。
【図３】軒樋の支持具周辺の側断面図であり、（ａ）が空隙の狭い場合であり、（ｂ）が空隙の広い場合である。
【図４】実施形態の他の一例（第２例）の側断面図であり、（ａ）が軒樋用部材を軒樋に取り付けた状態であり、（ｂ）がこの軒樋を壁面に取り付けた状態である。
【図５】図４（ａ）の斜視図である。
【図６】実施形態の一例の斜視図であり、（ａ）が第１例の変形例であり、（ｂ）が第２例の変形例である。
【発明を実施するための形態】
【００１３】
本発明を、添付図面に示す実施形態に基づいて説明する。
【００１４】
実施形態の一例（第１例）の軒樋用部材１は、図２に示すように、軒樋２０に取り付けられる。軒樋２０は、図３に示すように、建物１７の壁面１８に支持具３０（図２では省略する）を介して取り付けられる。建物１７は、例えば、図３に示すように、屋根１９を有した家屋になっている。以下の説明において、上下方向及び桁行方向の両方に直交する方向を、前後方向とし、この前後方向において、壁面１８から軒樋２０側に向かう向きを前方とし、軒樋２０から壁面１８側に向かう向きを後方とする。
【００１５】
軒樋２０は、図２に示すように、上方に開口する断面Ｕ字状で、桁行方向に沿って長尺に形成してある。軒樋２０は、壁面１８（建物１７）側に位置した板状の後壁部２１（建物１７側の壁部）と、後壁部２１の下端から前方に突出した底部２２と、底部２２から上方に立ち上がる前壁部２３とを備える。そして、軒樋２０は、後壁部２１と、底部２２と、前壁部２３とが連続した形状になっている。
【００１６】
また、軒樋２０は、後壁部２１の上端縁に形成された第１係止部２４と、前壁部２３の上端縁に形成された第２係止部２５とをさらに備える。軒樋２０は、後壁部２１、底部２２、前壁部２３、第１係止部２４、第２係止部２５が樹脂成形等で一体に形成してある。
【００１７】
第１係止部２４は、後壁部２１から後方に膨出して形成してあり、後方下端に凸部２６が設けてある。第２係止部２５は、前壁部２３から後方に突出して形成してあり、前壁部２３の後面との間に上方に凹んだ凹部２７が設けてある。軒樋２０は、第１係止部２４及び第２係止部２５で支持具３０（詳細は後述する）に支持される。
【００１８】
更に、軒樋２０の上方には、図３に示すように、カバー２８（図２では省略する）が取り付けられる。カバー２８は、軒樋２０の上方を覆っている。そして、カバー２８は、前後方向の位置及び傾斜角度を調節自在でカバー支持部材３９（詳細は後述する）に支持されており、カバー支持部材３９は支持具３０に設けてある。カバー２８は、雪や落ち葉等の軒樋２０への進入を抑制し、雨水を軒樋２０に流入する。更に、カバー２８は、例えば雀等の小さい鳥類等の小動物の上方から軒樋２０への侵入を抑制する。
【００１９】
支持具３０は、桁行方向に所定の間隔をおいて複数設置される。支持具３０は、壁面１８に固定される固定部材３１と、軒樋２０を装着する装着部材３４と、カバー２８を装着するカバー支持部材３９とを備える。固定部材３１は、例えば軒先の鼻隠し等の壁面１８の上部に固定される固定部３２と、固定部３２から前方に突出して設けた保持部３３とを備える。固定部３２は壁面１８に当接して固定される。保持部３３は、装着部材３４を吊持して保持する。
【００２０】
装着部材３４は、前後方向に位置調節自在で固定部材３１に取り付けられる。装着部材３４は前後に長さを有しており、前後方向の略中央で保持部３３に保持される。装着部材３４は後端に第１樋保持部３５が設けてあり、前端に第２樋保持部３６が設けてある。第１樋保持部３５は、係止爪３７を備える。第１樋保持部３５は、例えば係止爪３７に凸部２６を引っ掛ける等で、第１係止部２４を係止する。第２樋保持部３６は、上方に突出した立設部３８を備える。第２樋保持部３６は、例えば立設部３８を凹部２７に挿入する等で、第２係止部２５を係止する。
【００２１】
カバー支持部材３９は、前後方向に位置調節自在で装着部材３４に取り付けられる。カバー支持部材３９は上下方向に長さを有する。そして、カバー支持部材３９の下端には、装着部材３４に取り付けられる被取付部が設けてあり、カバー支持部材３９の上端には、カバー２８を保持するカバー２８保持部３３が設けてある。更に、カバー支持部材３９は、カバー２８を角度調節自在で、装着部材３４より上方に保持する。
【００２２】
また、軒樋２０の後壁部２１の上端には、図２に示すように、軒樋用部材１が脱着自在で設けてある。軒樋用部材１は、例えば雀等の小さい鳥類等の小動物の、壁面１８側からの軒樋２０への侵入を抑制する。具体的には、軒樋用部材１が、例えば、雨水等で腐食し難く形成した（又は腐食し難い）金属部材で形成してあり、例えばメッキ鋼板になっている。軒樋用部材１は、空隙１５に配置される侵入防止片７と、侵入防止片７を軒樋２０に取り付ける取付部２とを備える。
【００２３】
取付部２は、側面視Ｕ字状になっており、Ｕ字の開口を下向きにして軒樋２０に取り付けられる。取付部２は、図１に示すように、後辺部５と、上辺部４と、前辺部３とが連続した形状になっている。前辺部３は後辺部５に比べて上下方向の寸法が長い。上辺部４は、前辺部３及び後辺部５から離れる向きで凸の円弧形状になっている。取付部２は、後壁部２１の上端及び第１係止部２４を覆うように、Ｕ字の内側に後壁部２１及び第１係止部２４を嵌め込むことで、軒樋２０に弾性的に取り付けられる。そして、取付部２は、後辺部５の下端に係止片部６が設けてある。係止片部６は、前辺部３側に向けて凸の円弧形状になっている。そのため、取付部２は、図２に示すように、係止片部６によって軒樋２０からの抜けが抑制される。
【００２４】
侵入防止片７は、係止片部６の下端に設けてあり、係止片部６に一体で形成してある。侵入防止片７は後方に向けて長尺に設けてあり、後辺部５（取付部２）より後方側に下向き傾斜して突出する。侵入防止片７は、平面視略三角形の板状に形成してある。侵入防止片７は、係止片部６から離れる程細くなる。侵入防止片７は、例えば、取付部２（後辺部５）に対する傾斜角度θが６０°程度の場合で、後辺部５からの前後方向に沿った突出寸法Ｌ１が約６０ｍｍになっている。
【００２５】
そして、侵入防止片７は、傾斜角度θを変更することができる。具体的には、侵入防止片７や係止片部６を前方側に撓ませることで、傾斜角度θを狭める（小さく）することができ、後方側に撓ませることで、傾斜角度θを広く（大きく）することができる。これによって、軒樋用部材１は、侵入防止片７の突出寸法Ｌ１を調節することができる。
【００２６】
また、軒樋用部材１は、取付部２を後壁部２１の上端に取り付けることで、侵入防止片７を空隙１５に配置することができる。侵入防止片７は、空隙１５に配置された状態で、突出先端（下端）が壁面１８に近接又は当接される。そして、軒樋用部材１は、軒樋２０の長手方向（桁行方向）に所定の間隔（例えば図２のピッチＬ２参照）をおいて複数配置される。この所定の間隔は、侵入防止片７の突出先端間（桁行方向において最も離れた位置）で、例えば雀等の小さい鳥類等の小動物が往来し難い寸法である約３０ｍｍ以内にすることが好ましい。
【００２７】
このように、軒樋用部材１は、軒樋２０に複数取り付けることで、空隙１５を桁行方向に所定の間隔で区画することができる。これによって、本例では、前記小動物が往来し難い寸法に、空隙１５の桁行方向の寸法を狭めることができて、この小動物の下方側から空隙１５を介した軒樋２０内への侵入を抑制することができる。そのため、軒樋用部材１は、前記小動物による軒樋２０内での巣等の通水阻害物の軒樋２０内への発生を抑制することができて、この通水阻害物等の発生等の前記小動物の侵入に伴う軒樋２０の機能低下を抑制することができる。
【００２８】
そして、軒樋用部材１は、後壁部２１の上端に取り付けて侵入防止片７を空隙１５に配置したことで、建物１７を前方下側から軒樋を視た際に、軒樋用部材１が軒樋２０に隠れて視認され難くすることができる。そのため、軒樋用部材１は、建物１７の前方側の外観を既存の状態（軒樋用部材１取付前の状態）に略維持して、前記小動物の侵入を抑制することができる。言い換えると、本例では、軒樋用部材１を用いることで、前記小動物の侵入を抑制するにあたっての建物１７外観への影響を軽減し易くすることができる。
【００２９】
軒樋用部材１は、侵入防止片７を下向き傾斜して突出させて、壁面１８に近接又は当接させてある。これによって、軒樋用部材１は、例えば空隙１５に配置した侵入防止片７に上方側に向けて負荷が加えられた際に、侵入防止片７の突出先端が壁面１８に押し付けられる等で、侵入防止片７を上方に回動し難くすることができる。そのため、軒樋用部材１は、前記小動物が侵入防止片７に下方側からぶつかる等で侵入防止片７に上向きの負荷が加えられた際に、侵入防止片７の回動等によって空隙１５の桁行方向の間隔が広がることを抑制し易くすることができる。
【００３０】
軒樋用部材１は、取付部２を設けたことで、侵入防止片７を軒樋２０に安定して取り付け易くすることができる。そして、軒樋用部材１は、取付部２を弾性的に軒樋２０に取り付けたことで、例えば軒樋２０への取付作業が簡素になる等で、施工を行い易くすることができる。更に、軒樋用部材１は、軒樋２０に弾性的に取り付けたり係止片部６を設けたりしたことで、侵入防止片７の軒樋２０への取付強度を向上し易くすることができる。これによって、軒樋用部材１は、前記小動物の侵入防止片７への衝突や風等での侵入防止片７の軒樋２０からの離脱を抑制し易くすることができる。
【００３１】
軒樋用部材１は、取付部２と侵入防止片７とを一体で形成したことで、侵入防止片７の外力に対する強度を得易くしたり、軒樋２０への取付作業等を簡素にしたりすることができる。また、軒樋用部材１は、傾斜角度θを変更自在としたことで、例えば傾斜角度θを狭めて空隙１５の前後寸法に比べて突出寸法Ｌ１を小さくして配置した後、例えば傾斜角度θを広げる等で、侵入防止片７の突出先端を壁面１８に近接又は当接させてもよい。このように、軒樋用部材１は、軒樋２０への取付時や空隙１５への配置時に、侵入防止片７を壁面１８に干渉し難くすることができて、施工を行い易くすることができる。
【００３２】
次に、実施形態の他の一例として、第２例を示す。なお、前述の第１例と重複する構成は、同じ符号を付し、重複する説明は省略して、本例（第２例）の特徴等を説明する。
【００３３】
取付部２は、図４に示すように、側面視矩形Ｕ字状になっている。取付部２は、後辺部５と、上辺部４と、前辺部３とが連続した形状になっている。そして、取付部２は、例えばゴム等の弾性部材や、例えば軟質プラスチック等の軟質部材等で形成してある。
【００３４】
取付部２は後壁部２１の上端及び第１係止部２４を覆うように、Ｕ字の内側に後壁部２１及び第１係止部２４を嵌め込むことで、軒樋２０に弾性的に取り付けられる。取付部２は、後辺部５の下端に、係止片部６として爪部８が設けてある。取付部２は、爪部８によって軒樋２０からの抜けが抑制される。また、後辺部５の上部には、侵入防止片７の上端が接続してあり、取付部２は侵入防止片７と一体に形成してある。
【００３５】
侵入防止片７は、後辺部５の上部側から後方下向きに傾斜して突出する。侵入防止片７は、例えば、傾斜角度θが６０°程度の場合、突出寸法Ｌ１が約６０ｍｍになっている。侵入防止片７は、例えばゴム等の弾性部材や、例えば軟質プラスチック等の軟質部材等で形成してある。そして、侵入防止片７は、空隙１５への配置時に、弾性変形等によって、傾斜角度θを狭めて（突出寸法Ｌ１を小さくして）、壁面１８に近接或いは当接させることができる。なお、軒樋２０部材は、取付部２と侵入防止片７とを同じ部材で形成してもよく、二色成形等で侵入防止片７に比べて硬質の樹脂等の侵入防止片７と異なる部材で取付部２を形成してもよい。
【００３６】
また、軒樋用部材１は、図５に示すように、軒樋２０の長手方向（桁行方向）に沿って長尺に形成してあり、その寸法は、例えば支持具３０の桁行方向の間と略同じ寸法或いは若干短い寸法になっている。具体的には、軒樋用部材１の前記寸法が、桁行方向に隣り合う支持具３０において互いの固定部３２の桁行方向の間と略同じ寸法或いは若干短い寸法になっている。なお、若干短い寸法とする場合では、支持具３０との桁行方向の間の隙間を、前記小動物が往来し難い寸法以内に抑えたものであればよい。
【００３７】
このように、軒樋用部材１は、侵入防止片７によって、空隙１５を介した前記小動物の軒樋２０への侵入を抑制することができる。そして、軒樋用部材１は、桁行方向に沿って長尺に形成したことで、例えば支持具３０の桁行方向の間や支持具３０と軒樋の桁行方向の角までの間等への配置数を、例えば夫々１つずつにする等、第１例に比べて削減して前記小動物の侵入を抑制することができる。これによって、軒樋用部材１は、施工を行い易くすることができる。更に、軒樋用部材１は、弾性部材や軟質部材で侵入防止片７を形成したことで、施工時に傾斜角度θの変更を行い易くすることができる。
【００３８】
また、軒樋用部材１は、取付部２と侵入防止片７とを夫々別部材で形成してもよい。例えば、第２例の変形例として、第３例を示す。なお、前述の第２例と重複する構成は、同じ符号を付し、重複する説明は省略して、本例（第３例）の特徴等を説明する。
【００３９】
本例では、取付部２と侵入防止片７とが夫々別部材で形成してある。そして、侵入防止片７は、取付部２に比べて桁行方向に沿って長尺に形成してある。言い換えると、侵入防止片７は、第２例のように長尺に形成してあり、取付部２は、第１例のように短尺に形成してある。
【００４０】
取付部２は、第１例のような側面視Ｕ字状又は第２例のような側面視矩形Ｕ字状になっている。取付部２は、後辺部５と、円弧状の上辺部４と、後辺部５より上下に長い前辺部３とが連続した形状になっており、後辺部５の下端に係止片部６が設けてある。取付部２は、Ｕ字の開口を下向きにして、後壁部２１の上端及び第１係止部２４に嵌め込み、軒樋２０に弾性的に取り付けられる。そして、取付部２は、係止片部６によって、軒樋２０から抜け止めされる。
【００４１】
取付部２は、桁行方向（軒樋の長手方向）に沿って所定の間隔をおけて複数設けてある。取付部２は、軒樋２０への前記取付時に、後辺部５と第１係止部２４（又は後壁部２１）の後面との間に、侵入防止片７の上端が介在される。そして、軒樋用部材１は、二つ以上の取付部２で一つの侵入防止片７を保持している。
【００４２】
このように、軒樋用部材１は、侵入防止片７を取付部２と別部材で且つ取付部２より長尺に形成したことで、取付部２の設置間隔を、前記小動物が侵入し難い間隔（略侵入不能な間隔）より広くすることができる。これにより、軒樋用部材１は、例えば第１例に比べて取付部２の個数を削減する等で、施工を行い易くすることができる。そして、軒樋用部材１は、取付部２の後壁部２１（軒樋２０）に対する桁行方向の取付位置を調整することで、取付部２で侵入防止片７を支持する位置を変更することができる。これによって、軒樋用部材１は、例えば取付部２を支持具３０に干渉し難い位置に取り付ける等で、取付部２の取付作業に、支持具３０の影響を受け難くすることができて、施工を行い易くすることができる。
【００４３】
更に、軒樋用部材１は、例えば侵入防止片７の上端側に凹所を備える等で、後壁部１２や第１係止部２４との間に、第１樋保持部３５配置用の空間を設けて、侵入防止片７を支持具３０の下方側にも配置可能としてもよい。この場合、軒樋用部材１は、侵入防止片７で下方側から支持具３０を視認し難くすることができて、例えば軒樋２０の全長に亘って侵入防止片７を設ける等で、後壁部２１と建物１７の間（空隙１５）の外観に統一感を与えることができる。
【００４４】
なお、本発明は、各実施形態（各例）の構成のみに限定されるものではなく、本発明の意図する範囲内であれば、適宜の設計変更を行うことや、各例の構成を組み合わせて用いることが可能である。例えば、侵入防止片７は、取付部２から離れる程長さ寸法が大きくなる扇状に形成したものや、取付部２と略同じ長さで矩形板状に形成したもの等であってもよい。また例えば、長尺に形成した侵入防止片７は、軒樋２０の全長より短いものであってもよい。また例えば、軒樋用部材１は、一つの取付部２で複数の侵入防止片７を支持するもの等であってもよい。
【００４５】
また例えば、軒樋用部材１は、後壁部２１から前方に膨出する第１係止部２４に取付可能なものであってもよい。この場合では、例えば、図６に示すように、後壁部２１の上端から前方に第１係止部２４が形成してあり、第１係止部２４は前方下端に凸部２６を有する。軒樋用部材１は、係止片部６が前辺部３の下端に形成されており、係止片部６を凸部２６に引っ掛ける等で、後壁部２１の上端に抜け止めされて取り付けられる。
【００４６】
また例えば、軒樋用部材１は、第１例の侵入防止片７を弾性部材や軟質部材で形成したものや、第２例や第３例の侵入防止片７をメッキ鋼板等の金属部材で形成したもの等であってもよい。また例えば、軒樋用部材１は、取付部２がねじやボルト等の取付具で軒樋２０に取り付けられるものや、取付部２が軒樋２０に固定されるものや、取付部２が軒樋２０に一体で設けられたもの等であってもよい。また例えば、軒樋用部材１は、ねじやボルト等の取付具を介した取付や、凹部と凸部とを用いた嵌め合わせや、爪等を用いた係止等で、侵入防止片７を取付部２に脱着自在に設けたもの等であってもよい。
【符号の説明】
【００４７】
１  軒樋用部材
２  取付部
６  係止片部
７  侵入防止片
１５  空隙
１７  建物
１８  壁面
２０  軒樋
２１  後壁部（建物側の壁部）
２４  第１係止部
２８  カバー
３０  支持具
θ  傾斜角度
【図１】
2014031680.tif 000003
【図２】
2014031680.tif 000004
【図３】
2014031680.tif 000005
【図４】
2014031680.tif 000006
【図５】
2014031680.tif 000007
【図６】
2014031680.tif 000008